(57)【要約】【課題】ビニールハウスなどの建造物の外部からの建造物領域の土壌への水の浸入を防止できる排水システムを提供することにある。【解決手段】建造物３０に併設された明渠１１を用いた排水システム１において、明渠１１は、建造物３０の外側に建造物３０の側縁に沿って配された通行可能な隣接地５に形成されており、建造物３０の側面３４の下端部から、明渠１１のすくなくとも建造物３０側の溝内側面１１ａまでを透水抑制被覆材１２で覆った。【選択図】図１
2018093812.tif 000002
【特許請求の範囲】
【請求項１】
建造物に併設された明渠を用いた排水システムにおいて、
前記明渠は、前記建造物の外側に該建造物の側縁に沿って配された通行可能な隣接地に形成されており、
前記建造物の側面の下端部から、前記明渠のすくなくとも前記建造物側の溝内側面までを透水抑制被覆材で覆ったことを特徴とする排水システム。
【請求項２】
請求項１において、
前記明渠の上方開口を塞ぐように透水性材料が敷き詰められていることを特徴とする排水システム。
【請求項３】
請求項２において、
前記透水性材料は粒状とされ、敷き詰められた際に材料間に視認可能な隙間が形成されることを特徴とする排水システム。
【請求項４】
請求項１〜３のいずれか１項において、
前記透水抑制被覆材は前記明渠の溝底面をさらに覆っていることを特徴とする排水システム。
【請求項５】
請求項４において、
前記明渠は前記建造物と他の建造物との間に配設されており、
前記透水抑制被覆材は、前記他の建造物の下端部にいたるまで配されていることを特徴とする排水システム。
【請求項６】
請求項１〜５のいずれか１項において、
前記明渠を通じて排水された水を一時的に溜める貯水槽と、該貯水槽に溜まった水をくみ上げるくみ上げ機とをさらに備えていることを特徴とする排水システム。
【発明の詳細な説明】
【技術分野】
【０００１】
本発明は、ビニールハウスなどの建造物に併設された明渠を用いた排水システムに関する。
【背景技術】
【０００２】
従来のビニールハウスには、たとえば特許文献１に記載されているように、ハウスの側縁近傍に明渠による排水設備を設けることで、ハウス内土壌への雨水の浸入を回避できるようにしたものがある。
【０００３】
また、特許文献２には、遮水膜をビニールハウスの被覆材の下端より地中に延びるように設けて、雨水が地中を通ってハウス内土壌に浸入することを防止する技術が提案されている。
【先行技術文献】
【特許文献】
【０００４】
【特許文献１】特公昭４６−４０１６８号公報
【特許文献２】特開平４−６３５１６号公報
【発明の概要】
【発明が解決しようとする課題】
【０００５】
しかしながら、特許文献１のものは、明渠の上方空間がビニール幕で覆われているため、明渠の上方空間を利用することはできない。また、このものでは、ゲリラ豪雨などが発生し、多量の雨水がビニールハウスの外部の土壌に浸入した場合に、その雨水が地中を通ってハウス内土壌に浸入することを防止することはできない。
【０００６】
なお、従来の明渠では、土壌中の水分の移動によりハウス内の土壌に水が浸入、浸透するおそれがあり、確実な排水手段とはなり得ない。また暗渠の場合、暗渠周辺の土壌の透水性を確保するためにもみ殻を設置するのが一般的であるが、経年によりもみ殻が微生物により分解され透水性を失い、排水能力が低下するおそれがある。
【０００７】
また、特許文献２に記載されたような遮水膜を設けても、ハウス外に水たまりができるような大雨の場合には、遮水膜をくぐるようにハウス内土壌に雨水が浸入するおそれがあり、確実な浸入防止対策とはなり得ない。
【０００８】
本発明は、このような事情を考慮して提案されたもので、その目的は、ビニールハウスなどの建造物の外部からの建造物領域の土壌への水の浸入を防止できる排水システムを提供することにある。
【課題を解決するための手段】
【０００９】
上記目的を達成するために、本発明の排水システムは、建造物に併設された明渠を用いた排水システムにおいて、明渠は、建造物の外側に建造物の側縁に沿って配された通行可能な隣接地に形成されており、建造物の側面の下端部から、明渠のすくなくとも建造物側の溝内側面までを透水抑制被覆材で覆ったことを特徴とする。
【発明の効果】
【００１０】
本発明の排水システムによれば、上述した構成となっているため、建造物の外部からの建造物領域の土壌への水の浸入を防止することができる。
【図面の簡単な説明】
【００１１】
【図１】本発明の一実施形態に係る排水システムを模式的に示した説明図であり、図３のＸ−Ｘ線に対応した拡大縦断面図である。
【図２】（ａ）は同排水システムの要部の拡大縦断面図、（ｂ）は同分解縦断面図である。
【図３】同排水システムが適用される建造物を含む周辺の平面図である。
【発明を実施するための形態】
【００１２】
以下に、本発明の実施の形態について、添付図面を参照しながら説明する。
【００１３】
この排水システム１は建造物に併設された明渠１１を用いた排水システムである。この明渠１１は、たとえばビニールハウス３０などの建造物（たとえば、ビニールハウス３０）の外側に建造物の側縁に沿って配された通行可能な隣接地５に形成されている。建造物の側面３４の下端部から、明渠１１のすくなくとも建造物側の溝内側面１１ａまでは透水抑制被覆材１２で覆われている。
【００１４】
ここで、建造物の下端部とは、本実施形態に示すような地上に表れる下端部であることが望ましい。つまり、建造物の地上に表れる下端部から隣接地５の明渠１１の建造物側の溝内側面１１ａまでの地表面が、透水抑制被覆材１２で覆われている。なお、以下に示す実施形態においては、図２（ａ）に示すように建造物（ビニールハウス３０の被覆材３２の最下端部は地中に埋まっている。
【００１５】
この排水システム１の一実施形態として、ビニールハウス３０への適用が挙げられる。図３は、複数のビニールハウス３０をその短手方向に沿って並べてなる圃場３の平面図である。図１は、図３におけるＸ−Ｘ線に対応した拡大縦断面図（ビニールハウス３０の妻面側の正面図）である。図２（ａ）は図１の一部の要部拡大縦断面図、図２（ｂ）は図１の一部の要部拡大分解縦断面図である。
【００１６】
ビニールハウス３０の長手方向の側縁に沿って隣接地５が配されている。この隣接地５は、ビニールハウス３０の長手方向に沿った通行可能な通路であり、その通路には排水路１０が形成されている。隣接地５（通路）としては、図１に示すように、ビニールハウス３０、３０間に配されたものと、圃場３の両端側に配されたビニールハウス３０の外側の配されたものとがあり、それらのいずれにも排水路１０が形成されている。
【００１７】
これらの排水路１０は、コルゲート管、塩ビ管などよりなる共通の排水管２０につながっている。排水路１０、排水管２０を流れてきた排水は、下流側に設けてある貯水槽２１に一時的に貯められ、くみ上げ機２２でくみ上げて用水路２３へと排出されるようになっている。
【００１８】
この排水路１０は、上方が開口された明渠１１を用いた排水路とされる。これら排水路１０の詳細については、図１および図２の説明とともに後述する。なお、この排水路１０は明渠構造であるため水平設置であっても水頭圧によって排水は可能であるが、排水性を良好にするために、水勾配（下り傾斜）を設けることが望ましい。
【００１９】
この圃場３で使用されるビニールハウス３０は、果樹、野菜、観賞用植物などの作物の栽培のための、育成環境を形成する農園用ハウスである。ビニールハウス３０は、図１に示すように、骨組を構成する複数のフレーム材３１、ビニール材等の透明材で形成された被覆材３２などで構成されている。この被覆材３２は、ビニールハウス３０の屋根面３３、側面３４および妻面３５の全体を覆うように配されている。なお、図１中の３６は出入り口、３７は窓である。
【００２０】
屋根面３３は、頂部３３ａ（棟）の両側が側面３４側に向けて下り傾斜した形状とされる。ビニールハウス３０には樋は設置されておらず、図１に２点鎖線で示したように、屋根面３３に落ちてきた雨水は屋根面３３、側面３４を覆った被覆材３２を伝って隣接地５へと流れ落ちるようになっている。
【００２１】
ビニールハウス３０の隣接地５に設けられた排水路１０は、縦断面形状を凹条の角溝（明渠１１）をもとに形成されたものである。具体的には、図２（ａ）（ｂ）に示すように、排水路１０は、ビニールハウス３０の隣接地５に角溝状に掘って形成された明渠１１の内部に透水抑制被覆材１２を取りつけてなる。透水抑制被覆材１２としては、柔軟性があり取り扱いがしやすいシート状のものを好適に利用できる。本実施形態の排水路１０は、さらに、その透水抑制被覆材１２の上面側に、明渠１１の上方開口を塞ぐように透水性材料１３を敷き詰めて構成されている。
【００２２】
本実施形態における明渠１１は、隣接地５の幅方向のほぼ中央に配され、その両側には溝隣接部５ａが形成されている。隣接地５の幅寸法が小さい場合などでは、溝隣接部５ａはなくてもよいし、一方のみであってもよい。
【００２３】
透水抑制被覆材１２は、溝内面に沿うように、かつ、明渠１１のビニールハウス３０側の溝隣接部５ａを経てビニールハウス３０の被覆材３２の下端部に及ぶように取りつけられている。たとえば、図１の左側の排水路１０は圃場３の端部のビニールハウス３０に沿って設けられているため、透水抑制被覆材１２は排水路１０の一方側の溝隣接部５ａのみに及んでいる。一方、中央の排水路１０に関しては、透水抑制被覆材１２は排水路１０の両側の溝隣接部５ａに及んでいる。
【００２４】
透水抑制被覆材１２は図例のように、明渠１１のビニールハウス３０側の溝内側面１１ａだけではなく、溝底面１１ｂをも覆うようにすることが雨水の土壌への浸入を防止するうえで望ましい。
【００２５】
特に、明渠１１の両側にビニールハウス３０がある場合には、一方の溝隣接部５ａから他方の溝隣接部５ａに至るように明渠１１の溝底面１１ｂを含めて、ハウス間に共通の透水抑制被覆材１２を配設することができ、効率的な配設が可能となる。この場合の透水抑制被覆材１２は継ぎ目がないため、透水抑制効果が高い。なお、圃場３の両端側のビニールハウス３０の外側の隣接地５においては、透水抑制被覆材１２は、明渠１１のすくなくともビニールハウス３０側の溝内側面１１ａを覆うようにすればよいが、これについても溝底面１１ｂや外側の溝内側面１１ａをも覆うようにすることが望ましい。
【００２６】
透水抑制被覆材１２は、水を土壌に浸透させないことを目的として設けるものであり、透水性抑制シート１２として、たとえばビニールハウス３０の被覆材３２と同種の素材を用いることができる。なお、防草シートのような水が通りにくい素材のものであれば、どのようなシート材であってもよい。また、素材としては透水するものであっても、水の流れを変えることができる、たとえば木質板状体を透水抑制被覆材１２として用いてもよい。
【００２７】
また、透水抑制被覆材１２は被覆材３２に接着等で隙間なく連結されていることが望ましい。さらに、ビニールハウス３０を施工する際に、側面３４の被覆材３２として長めのものを準備し、その下端から延びた部位を透水抑制被覆材１２として用いるようにしてもよい。
【００２８】
なお、透水抑制被覆材１２は明渠１１の全長にわたり、溝隣接部５ａを含め隙間なく配設されることが雨水を遮断するうえでは望ましいが、部分的に配されない部位があってもよい。
【００２９】
また、明渠１１への透水性材料１３の敷き詰め方は、図２（ａ）に示すように、隣接地５の上面がほぼ平坦となるようにすることが、隣接地５を問題なく通行できるようにするうえで望ましい。なお、隣接部５ａに図例のような傾斜や凹凸があることを考慮すれば、透水性材料１３は明渠１１に対してだけではなく、溝隣接部５ａにも敷くことが望ましい。さらに、溝隣接部５ａを形成できないような幅狭な隣接地５を歩行用の通路として使用する場合には、透水性材料１３を隣接地５全体に敷き詰めることが望ましい。
【００３０】
透水性材料１３としては、高い透水性を求める場合には、敷き詰められたときに材料間に視認可能な隙間が形成される砂利などが望ましいが、これには限られず、ボラ土を用いることもできる。
【００３１】
なお、明渠１１の内面を透水抑制被覆材１２で覆ってさえいれば排水路１０として使用できるため、透水性材料１３を敷き詰めない構成であってもよい。透水性材料１３を用いない場合には、明渠１１の内面および溝隣接部５ａにおいて、透水抑制被覆材１２の表面が露出する。したがって、雨天時の歩行を考慮すれば、透水性材料１３を敷き詰めて滑りにくい歩行面を形成することが望ましいことは言うまでもない。さらに、明渠１１の溝底において、排水性を良くするために孔を有したコルゲート管を配してもよい。
【００３２】
以上に説明した排水システム１によれば、透水抑制被覆材１２がビニールハウス３０の隣接地５にビニールハウス３０の側縁に隙間なく配されているため、雨水の浸入を効果的に抑えられる。すなわち、隣接地５に直接落ちた雨水や、ビニールハウス３０の屋根面３３より隣接地５に流れてきた雨水が隣接地５の土壌を通じてハウス内土壌４へ浸入することを防止できる。また、ビニールハウス３０の側面下端からの水の浸入も防止することができる。
【００３３】
また、この排水路１０は内面を透水抑制被覆材１２で被覆されているため、隣接地５に集水された雨水を効率的に排水管２０へと流し、貯水槽２１に集めることができる。ようするに、ハウス内土壌４だけではなく、圃場３全体としても、余分な水が土壌へ浸透、浸入することを防止することができる。
【００３４】
さらに、明渠１１の上方開口を塞ぐように透水性材料１３が敷き詰められているので、明渠１１が通行のじゃまにはなるおそれはない。また上述したように、透水性材料１３を隣接地５全体に敷き詰めれば透水抑制被覆材１２の露出を防止でき、さらに通行しやすくなる。
【００３５】
以上の実施形態は、排水路１０を雨水が集中するビニールハウス３０の側面３４側の隣接地５に配した例であるが、さらに妻面３５側の隣接地５にも同様の排水路１０を配するようにしてもよい。このようにビニールハウス３０を取り囲むように排水路１０を設ければ、より確実にハウス内土壌４への水の浸入を防止することができる。
【００３６】
さらに、このように貯水層２１に集められた排水は、図１に示すように、貯水槽２１に併設されたポンプを有したくみ上げ機２２で、外部の用水路２３へ流し出すことができる。
【００３７】
以上のように、この排水システム１によれば、ハウス内土壌４への雨水の浸入を防止でき、圃場３全体の土壌への浸入も防止でき、かつ、圃場３内の余分な水を外部へ排水することができる。また、貯水槽２１にはくみ上げ機２２が併設されているため、貯水槽２１から圃場３内への水の逆流も防止することができる。
【００３８】
以上には、排水システム１をビニールハウス３０に適用した例を示したが、それには限られず、一般住宅や倉庫、ビルなど種々の建造物にも適用が可能である。
【符号の説明】
【００３９】
１          排水システム
５          隣接地
１０        排水路
１１        明渠
１１ａ      溝内側面
１１ｂ      溝底面
１２        透水抑制被覆材
１３        透水性材料
２０        排水管
２１        貯水槽
２２        くみ上げ機
３０        ビニールハウス（建造物）
【図１】
2018093812.tif 000003
【図２】
2018093812.tif 000004
【図３】
2018093812.tif 000005